(57)【要約】【課題】  ネットワークで接続されたＤＡＳのディスクを共有することを可能にすることを目的とする。【解決手段】  各ＤＡＳのサーバは自機のディスクを管理サーバの仮想ディスク管理テーブルに登録し、ＤＡＳは管理サーバに割り当て依頼すると管理サーバは仮想ディスクを割り当て、マウントし、マウント情報を返信する構成である。【選択図】      図１Ａ
2005070965.tif 000002
【特許請求の範囲】
【請求項１】
ネットワークで接続された複数のサーバ間で夫々の記憶装置の記憶領域を共有するための方法であって、
前記複数のサーバの各々の記憶装置の記憶領域を当該ネットワークに接続された管理サーバに登録する登録段階と、
前記登録段階にて登録された各サーバの記憶装置の記憶領域を管理サーバにて一元的に管理する管理段階と、
管理サーバに対し、前記管理段階で管理された記憶装置の記憶領域の割り当てを要求する割当要求段階と、
前記割当要求に対し、管理サーバにて前記一元管理された記憶装置の記憶領域から所定の記憶装置の記憶領域を割り当てる割当段階と、
前記割当段階にて割り当てられた記憶装置の記憶領域に対するマウント要求を管理サーバに対して行なうマウント要求段階と
前記マウント要求に対し、管理サーバにて前記割当段階にて割り当てられた記憶装置の記憶領域をマウントし、その旨を示すマウント情報を返信するマウント段階と、
前記マウント段階にて返信されたマウント情報にしたがって、当該マウントされた記憶領域が属するサーバに対し、当該記憶装置の記憶領域に対するアクセスを要求するアクセス要求段階と、
前記アクセス要求段階にてアクセス要求を受けたサーバでは、自己に属する当該記憶装置の記憶領域にアクセスし、アクセス結果を返信するアクセス段階とよりなる方法。
【請求項２】
更に管理サーバに対し、前記マウント段階にてマウントされた記憶領域のアンマウントを要求するアンマウント要求段階と、
管理サーバでは、前記アンマウント要求を受けて該当する記憶装置の記憶領域をアンマウントし、その旨を示すアンマウント情報を返信するアンマウント段階とよりなる請求項１に記載の方法。
【請求項３】
ネットワークで接続された複数のサーバ間で夫々の記憶装置の記憶領域を共有するためのシステムであって、
前記複数のサーバの各々の記憶装置の記憶領域を当該ネットワークに接続された管理サーバに登録する登録手段と、
前記登録手段にて登録された各サーバの記憶装置の記憶領域を管理サーバにて一元的に管理する管理手段と、
管理サーバに対し、前記管理手段で管理された記憶装置の記憶領域の割り当てを要求する割当要求手段と、
前記割当要求に対し、管理サーバにて前記一元管理された記憶装置の記憶領域から所定の記憶装置の記憶領域を割り当てる割当手段と、
前記割当手段にて割り当てられた記憶装置の記憶領域に対するマウント要求を管理サーバに対して行なうマウント要求手段と
前記マウント要求に対し、管理サーバにて前記割当手段にて割り当てられた記憶装置の記憶領域をマウントし、その旨を示すマウント情報を返信するマウント手段と、
前記マウント手段にて返信されたマウント情報にしたがって、当該マウントされた記憶装置の記憶領域が属するサーバに対し、当該記憶装置の記憶領域に対するアクセスを要求するアクセス要求手段と、
前記アクセス要求手段にてアクセス要求を受けたサーバにて、自己に属する当該記憶装置の記憶領域にアクセスし、アクセス結果を返信するアクセス手段とよりなるシステム。
【請求項４】
ネットワーク接続された複数の情報処理装置の各々の記憶装置の記憶領域を当該ネットワークに接続された管理サーバに登録する登録手段と、
管理サーバに対し、当該前記管理サーバにて管理された記憶領域の割り当てを要求する割当要求手段と、
前記割当要求に対して割り当てられた記憶装置の記憶領域に対するマウント要求を管理サーバに対して行なうマウント要求手段と
前記管理サーバからマウント要求に対し返信されるマウント情報にしたがって、当該マウントされた記憶領域を有する情報処理装置に対し、当該記憶領域に対するアクセスを要求するアクセス要求手段とよりなる情報処理装置。
【請求項５】
ネットワーク接続された複数の情報処理装置の各々の記憶装置の記憶領域を登録され一元的に管理する管理手段と、
前記複数の情報処理装置のうちの何れかの装置からの割当要求に応じて前記一元管理された記憶領域のうちから所定の記憶領域を割り当てる割当手段と、
当該情報処理装置からのマウント要求に応じて、前記割当手段にて割り当てた記憶装置の記憶領域をマウントし、その旨を示すマウント情報を返信するマウント手段とよりなる情報処理装置。
【発明の詳細な説明】
【技術分野】
【０００１】
本発明は情報処理方法、情報処理システム及び情報処理装置に係り、特に比較的簡易な構成にてネットワーク接続された複数の情報処理装置の記憶領域をお互いに共有可能とし得る情報処理方法、情報処理システム及び情報処理装置に関する。
【背景技術】
【０００２】
ストレージシステムの一例としてＤＡＳ（ダイレクトアタッチドストレージ）が知られている。このＤＡＳでは、周知の如く、サーバとストレージ装置とが直接接続された構成とされている。このようなＤＡＳにおいては、基本的にはサーバは自己に属する、即ち直接接続されたストレージ装置（ディスク装置等）のみをもっぱらアクセスする構成とされている。ここでＤＡＳのストレージ装置の記憶容量は一般にある程度余裕を考慮して決められるため、必ずしもその記憶領域が常に効率的に使用されず、かなりの部分が常時使われない状態とされることがある。
【０００３】
又、ストレージシステムの他の例として、ＳＡＮ（ストレージエリアネットワーク）が知られている。ＳＡＮでは、周知の如く、複数のサーバと複数のストレージ装置とが互いにネットワークを介して接続され、基本的には上記複数のストレージ装置は複数のサーバに対して共有とされている。したがって前記の如くのＤＡＳにおける問題点は解消される。即ち、システムにおけるストレージ装置が有する記憶領域は恰も統合された仮想記憶領域として認識され得、当該仮想記憶領域が必要に応じて各サーバに割り当てられる。このようにＳＡＮでは各ストレージ装置は個々のサーバから独立しているため、その記憶領域は必要に応じて自由に利用され得る。
【特許文献１】特開平５−１０８２７３号公報
【特許文献２】特開平１０−４９４２４号公報
【発明の開示】
【発明が解決しようとする課題】
【０００４】
上記ＤＡＳは既に多数製品として設置され運用されており、これらのシステムを例えば上記ＳＡＮに移行するためには、一般にかなりの費用と時間を要する。又、ＳＡＮでは一般的に高速アクセスを保証するためにネットワークを構成する信号伝送媒体としてのケーブルの許容設置長さに制限が設けられており、必ずしも容易には移行出来ない場合が多いものと考えられる。
【０００５】
本発明は上記課題に鑑み、既存のＤＡＳ等によるシステムをそのまま活かしながら比較的簡易な構成でネットワーク接続された複数の情報処理装置の各々が有する記憶装置の記憶領域を共有し得るシステムを提供することを目的とする。
【課題を解決するための手段】
【０００６】
本発明によれば、複数のサーバ（以下、個別サーバと称する）は、各々の記憶装置の記憶領域を当該ネットワークに接続された管理サーバに登録する。そして管理サーバではこのように登録された個別サーバの記憶装置の記憶領域を一元的に管理する。
【０００７】
そしてこのように管理サーバに登録された記憶領域に対する実際のアクセスが必要な個別サーバは、管理サーバに対し、上記の如く管理された記憶装置の記憶領域の割り当てを要求する。管理サーバ当該割当要求に対し、前記一元管理された記憶領域から所定の記憶領域を割り当てる。
【０００８】
次に上記個別サーバはこのようにして割り当てられた記憶領域に対するマウント要求を管理サーバに対して行なう。これに対して管理サーバは前記割り当てられた記憶装置の記憶領域のマウントを行なうと共に、その旨を示すマウント情報であって該当する割当記憶領域の物理ディスク情報を返信する。
【０００９】
この返信を受け取った個別サーバはそのマウント情報に基づき、当該マウント動作により張られたパスに沿って、該当する記憶領域が属する個別サーバに対して当該記憶領域に対するアクセスを要求する。アクセス要求を受けた個別サーバは、自己に属する当該記憶領域にアクセスし、そのアクセス結果を返信する。
【００１０】
又上記の如くの手順にてアクセスを完了した個別サーバは管理サーバに対し、前述の如く一旦マウントされた記憶領域のアンマウントを要求し、管理サーバではこのアンマウント要求を受けて該当記憶領域をアンマウントし、その旨を示すアンマウント情報を返信することが望ましい。
【発明の効果】
【００１１】
このように構成することにより、各個別サーバは上記管理サーバを介したマウント段階を経て他の個別サーバの記憶容量に対しアクセス可能となる。したがって各個別サーバは管理サーバを介してお互いの記憶領域を共有可能となる。
【００１２】
ここでは、特に例えばＳＡＮへの移行の際に要される如くの大幅なシステムの変更は不要であり、単にネットワークに設けた管理サーバを介したマウント情報の管理によって任意の利用形態が設定可能なストレージプール的記憶領域管理を実現可能となる。
【発明を実施するための最良の形態】
【００１３】
以下、図と共に本発明の実施の形態について詳細に説明する。
【００１４】
図１Ａは本発明の実施の形態としての情報処理システムの概略構成を示すブロック図である。図中、同情報処理システムは、通信網（ＬＡＮ）を介して複数のＤＡＳ（ダイレクトアタッチドストレージ）が接続された構成を有する。各ＤＡＳは、夫々サーバ１０−Ａ、１０−Ｂ，１０−Ｃ，．．．、１０−Ｘよりなる。これら夫々のサーバには、各々記憶容量Ａ１，Ａ２，Ｂ１，Ｂ２，Ｃ１，Ｃ２，．．．、Ｘ１，Ｘ２を有する記憶装置が個別に直接接続されている。即ち、各サーバは自機に直接接続されたディスク装置と共に夫々周知のＤＡＳ（ダイレクトアタッチドストレージ）を構成している。
【００１５】
尚、上記各記憶装置は例えば周知のハードディスクドライブ（ハードディスク装置）よりなり、夫々が属するサーバの直接管理下にあり、サーバＡ（１０−Ａ）は記憶領域Ａ１，Ａ２を有し、サーバＢ（１０−Ｂ）は記憶領域Ｂ１，Ｂ２を有し、サーバＣ（１０−Ｃ）は記憶領域Ｃ１，Ｃ２を有し、．．．、サーバＸ（１０−Ｘ）は記憶領域Ｘ１，Ｘ２を有する構成とされている。
【００１６】
上記本実施の形態としての情報処理システムは又、同じく通信網（ＬＡＮ）を介して上記各サーバと接続された管理サーバ２０を有する。この管理サーバは図１Ｂに示す如くの仮想ディスク管理テーブルを有する。当該仮想ディスク管理テーブルは、本情報処理システムを構成する上記各サーバ１０−Ａ乃至１０−Ｘが直接管理する上記記憶領域のうちの所定の記憶領域を集中して登録し、それを一元管理することで、上記各サーバ間の共有利用を可能にする。
【００１７】
例えばサーバＡ（１０−Ａ）に関しては、その記憶領域Ａ１，Ａ２のうちのＡ２につき、上記管理サーバ２０の仮想ディスク管理テーブルに登録されている。この場合、図１Ａ，１Ｂに示す如くこの記憶領域Ａ２は仮想ボリューム名Ｖｏｌ−１として一元管理され、その利用形態としては「単一」利用形態が適用されている。ここでこのような「利用形態」は、例えば当該情報処理システムの管理者によって上記管理サーバ２０を介して任意且つ個別的に設定可能である。この場合の「単一」利用形態とは、そのボリュームＶｏｌ−１が、それ単一で貸し出し可能な記憶容量として設定されていることを意味する。
【００１８】
同じくサーバＢ（１０−Ｂ）に関しては、その記憶領域Ｂ１，Ｂ２のうちのＢ２が仮想ディスクとして同テーブルに登録されている。但しこの場合、図１Ａ，１Ｂに示す如く、他のサーバＣ（１０−Ｃ）の記憶容量Ｃ２と共に、「統合」利用形態が設定されている。即ちこの場合、これら二つのサーバＢ，Ｃの夫々の記憶領域Ｂ２，Ｃ２が統合されて仮想ボリュームＶｏｌ−２を構成する。そのため、物理的には二つの異なる記憶領域であるＢ２，Ｃ２が論理的に統合され、論理的には一つの記録領域として認識され得る。その結果、この利用形態を適用した場合には、一つの纏まった大容量の情報を分割することなく、一括して格納管理することが可能となる。
【００１９】
又この情報処理システムに含まれ、上記通信網ＬＡＮを介して上記サーバＡ，Ｂ，Ｃ等と接続されたサーバＤ，Ｅ（図示せず）に属する記憶領域Ｄ，Ｅが、同様に、仮想ボリュームＶｏｌ−３として登録されている。この場合、これら記憶領域Ｄ，Ｅには「二重化」利用形態が設定されている。即ち、記憶領域Ｄ，Ｅには各々同じ内容の情報が二重に格納される。この利用形態を適用することにより、仮に記憶領域Ｄを構成するＤＡＳに何らかの障害が発生して格納情報が破壊された場合であっても、同じ情報が記憶領域Ｅに格納されているために情報の消失による被害が防止される。
【００２０】
又、サーバＸに属する記憶領域Ｘ２については「分割」利用形態が適用されて登録されている。即ち、物理的記憶領域であるＸ２が、論理的に二つの記憶領域Ｖｏｌ−４，Ｖｏｌ−５に分割され管理される。このため、これら記憶領域Ｖｏｌ−４，Ｖｏｌ−５は例えばそれぞれ別のサーバに個別に貸し出すことが可能となる。その結果、仮想ディスクの有効利用が可能となる。このような利用形態の設定管理は管理サーバの管理アプリケーションプログラム２１（図３参照）を介して上記仮想ディスク管理テーブル２３を管理することで、任意な態様で可能となる。
【００２１】
このように本発明の実施の形態としての情報処理システムの適用により、図１Ａに示す如く、当該システムを構成する各サーバ１０−Ａ，１０−Ｂ，１０−Ｃ，．．．、１０−Ｘは管理サーバ２０を介して、お互いの記憶領域Ａ２，Ｂ２，Ｃ２，Ｄ，Ｅ，．．．、Ｘ２を、仮想記憶容量Ｖｏｌ−１，Ｖｏｌ−２，Ｖｏｌ．３，．．．として共有可能となる。又、この場合において当該情報処理システムを適用する個々の利用状況に応じて最適な利用形態（単一、統合、二重化、分割等）を設定可能であり、情報格納資源の有効利用が図れる。
【００２２】
このような本発明の実施の形態としての情報処理システムでは、当該システムを構成する各サーバ１０−Ａ，１０−Ｂ，１０−Ｃ，．．．、１０−Ｘは、当面自機にて使用する予定のない余剰記憶領域につき、管理サーバ２０を介してその仮想ディスク管理テーブル２３に登録しておく。
【００２３】
この場合の登録の態様としては、例えば物理的な一枚のディスクそのものを一単位として登録することも可能であり、或いは、一枚の物理ディスクが有する記憶領域を論理的に分割し、その一部分のみを登録することも可能である。或いは、一つのサーバに属する多数枚の物理ディスクを論理的に一括して登録することも可能である。即ち、各サーバが有する物理的記憶領域を論理的記憶領域として使用するためのアドレス変換等に関する定義の仕方次第で任意の登録形態が可能となる。
【００２４】
同じことが上記「利用形態」についても言え、上記の如くに各サーバによって登録された記憶領域につき、再度所定の定義によるアドレス変換処理等により、更に別の系統の倫理的記憶領域に編成し直すことが可能であり、その結果、上記の如くの任意の利用形態を設定可能である。
【００２５】
そして、仮に何らかの原因で必要とする記憶容量が増加したＤＡＳのサーバは、このように管理サーバ２０の管理アプリケーション２１を介して仮想ディスク管理テーブル２３に登録された記憶領域を貸し出してもらって利用することが可能である。したがって、自機の余剰記憶領域を共有ディスクとして貸し出す側のＤＡＳとしては余剰資源の有効利用が図れ、他方、自機の使用に際して不足分の記憶容量を借用して利用する側のＤＡＳとしては、新たに自機が直接管理するディスク装置を増設する必要が無くなり、増設費用の節減が可能となる。
【００２６】
図２Ａ，２Ｂは、当該情報処理システムに属するサーバＪ（１０−Ｊ）が上記仮想ディスクボリュームＶｏｌ−１として登録されたサーバＡの記憶領域Ａ２を借用する例を示す。この場合、サーバＪは、直属の記憶領域をディスクの増設によって確保することなく、管理サーバ２０を介してサーバＡに属する記憶領域Ａ２を利用して不足分の記憶容量を確保可能となる。
【００２７】
尚、図１Ａに示す如く、システム管理者は実際には同じく通信網（ＬＡＮ）にてシステムに接続された管理端末５０を介してシステムを監視し、管理サーバ２０を介した監視操作を行なうものとする。そして更にテープライブラリ等の記録装置３０を別途設け、管理サーバ２０にて仮想ディスク管理テーブル上で管理している夫々の記憶領域につき、当該記録装置３０にて適宜バックアップを行なう。その結果、各記憶領域を直接に管理する各ＤＡＳのサーバによる該当領域のバックアップが不要となり、各ＤＡＳのサーバの処理負荷、格納負荷の低減が図れる。
【００２８】
尚、本実施の形態による情報処理システムにおいては、上記仮想ボリュームとして設定されたＶｏｌ−１，Ｖｏｌ−２，．．．、は、各々単独では共有不可とされている。即ち、例えば仮想記憶領域、即ち論理ディスクＶｏｌ−１は特定のサーバ、例えばサーバＪに貸し出し可能だが、例えばサーバＪ，サーバＫの二つのサーバに同時に貸し出されて共有されるという利用形態は適用不可とされている。
【００２９】
次に、図３、図４，図５、図６と共に、このような複数のＤＡＳを通信網で接続した情報処理システムにおいて上記各サーバに属する記憶領域の共有利用を可能にする動作について詳細に説明する。
【００３０】
図３に示す如く、各ＤＡＳのサーバは、ユーザによって直接使用されるユーザアプリケーションプログラム１１，情報の格納を管理するためのファイルシステムプログラム１３，ファイルシステムプログラム１３等の指示によって外部の記憶領域に対するアクセスを依頼するためのクライアントプログラム１５及び外部から依頼された処理を実行するためのエージェントプログラム１７を有する。又、管理サーバ２０は、上記仮想ディスク管理テーブル２３と、当該テーブル２３に格納された情報に基づいて各ＤＡＳのサーバによって個別に登録された記憶領域を一元管理するための管理アプリケーションプログラム２１とを含む。
【００３１】
尚、図３において、サーバＡ（１０−Ａ）、サーバＪ（１０−Ｊ）及び管理サーバ２０中には、説明の便宜上、夫々上記図２Ａ，２Ｂと共に説明したサーバＪによるサーバＡの記憶領域Ａ２の借用処理に直接関する構成要素のみを示している。又、実際は上記の如く、システム管理者は管理端末５０を介して管理サーバ２０を操作し且つ状態監視を行なうが、説明の便宜上、管理者が直接管理サーバ２０を操作するものとして説明を行なう。
【００３２】
先ず、サーバＪ（１０−Ｊ）のファイルシステム１３は例えばオペレータによる入力操作によってクライアント１５を介して管理サーバ２０へ空き領域の割り当てを依頼する。この依頼を受けた管理サーバ２０は（図４中、ステップＳ１のＹｅｓ）、所定の手順により仮想ディスク管理テーブル２３上の空いている仮想ディスクＶｏｌ−１（Ａ２）を当該サーバＪに割り当てる（ステップＳ５）。そしてＯＫ通知を返信する（ステップＳ８）。同時に管理サーバ２０の管理アプリケーション２１はサーバＪを仮想ディスク管理テーブル２３中の、仮想ディスクＶｏｌ−１の借用サーバの欄に登録する（図２Ｂ参照）。
【００３３】
次にサーバＪのオペレータは、所定のマウント／アンマウント処理プログラム１４により、当該仮想ディスクＶｏｌ−１のマウントを管理サーバ２０に対して依頼する（図５、（ａ）中、ステップＳ３１のＹｅｓ、ステップＳ３４）。管理サーバ２０の管理アプリケーション２１は、このマウント要求を受けると（ステップＳ２のＹｅｓ，ステップＳ４）、当該サーバＪ（１０−Ｊ）に対してサーバＡの記憶領域Ａ２をマウントし、その旨を示すマウント情報を依頼元であるサーバＪに返信する。
【００３４】
この返信を受けたサーバＪのマウント／アンマウント処理プログラム１４はこのマウント情報１６を格納する（ステップＳ３５）。このマウント情報は例えば図５、（ｂ）に示す内容を含むものとする。即ち、マウント情報は仮想ディスク管理テーブル２３のうちの該当割当記憶領域Ａ２に関する部分の情報を含み、その中で「ステータス情報」欄には、マウント状態を示す“１”が設定されている。
【００３５】
以下、サーバＪのユーザアプリケーション１１により、このようにして割り当てられた仮想ディスクＶｏｌ−１，即ちサーバＡの記憶領域Ａ２に対する実際のアクセスが上記マウントによって張られたパスに沿って行なわれる。即ち、ユーザアプリケーション１１からのアクセス依頼を受けたクライアント１５は、上記ステップＳ３５でマウント／アンマウント処理プログラムにて取得されたマウント情報１６、即ち図５、（ｂ）に示す内容を参照し、上記該当マウント動作によって張られたパスに沿って該当するサーバＡのエージェント１７に対し、記憶領域Ａ２へのアクセスを依頼する（ステップＳ５１）。
【００３６】
尚その際、上記マウント情報１６に基づいてサーバＪのクライアント１５からサーバＡのエージェント１７に送信される情報としては、図６、（ｃ）に示す如く、依頼元サーバ情報（自機であるサーバＪを示す）、ディスク情報（アクセス先である記憶領域Ａ２を示す）及びアクセス依頼情報（依頼するアクセス動作の具体的指示内容）を含む。
【００３７】
サーバＡのエージェント１７はこのアクセス依頼を受け、自機の記憶領域を直接管理するドライバプログラム１９に対し、該当する記憶領域Ａ２へのアクセスを依頼する（図６、（ｂ）中、ステップＳ７１）。尚その際、エージェント１７は、管理サーバ２０の管理プログラム２１による仮想ディスク管理テーブル２３登録情報により、当該テーブル２３に登録された該当記憶領域Ａ２に関する利用形態（この場合「単一」）にしたがったアクセス形態を実現するものとする。
【００３８】
又このエージェント１７，ドライバ１９を介した記憶領域Ａ２に対するアクセス動作は、例えば記憶領域の初期化、格納情報の実際の書き込み、読み出し、検索、書き換え等を示す。このようなアクセス動作が完了するとサーバＡのエージェント１７はその結果を返信する（ステップＳ７２）。
【００３９】
尚、ここでサーバＡのエージェントからサーバＪのクライアント１５に対して返信される情報は、図６、（ｄ）に示す如く、上記図６、（ｃ）に示す依頼元サーバ情報、ディスク情報及びアクセス依頼情報に加え、上記アクセス動作の結果を示すアクセス結果情報を含む。
【００４０】
サーバＪのクライアント１５は、このアクセス結果情報を受けると（図６，（ａ）中、ステップＳ５２）、それをファイルシステム１３を介してユーザアプリケーション１１に通知する（ステップＳ５３）。次にサーバＪのオペレータは当該Ａ２領域のアンマウントを要求する。これを受けると、マウント／アンマウント処理プログラム１４は管理サーバ２０に対してアンマウントを依頼する（ステップＳ３１のＮｏ，ステップＳ３２）。
【００４１】
このアンマウント要求を受けると（ステップＳ１のＮｏ，ステップＳ２のＮｏ）、管理サーバ２０はサーバＪに対するサーバＡの記憶領域Ａ２のアンマウントを行ない、その結果を依頼元のサーバＪに通知する（ステップＳ３）。マウント／アンマウント処理プログラム１４では、これを受け、上記ステップＳ３５にて格納したマウント情報を消去する（ステップＳ３３）。
【００４２】
尚、ここで管理サーバ２０によるアンマウントにより、上記マウント動作にて張られたパスは解かれ（ディスコネクトされ）、これにしたがって図２Ｂに示す仮想ディスク管理テーブル２３中の該当ステータス情報が“０”リセットされる。このように、各仮想ディスクボリューム毎の、そのマウント状態に応じたステータス情報の変化は、管理サーバ２０にて管理されている仮想ディスク管理テーブル２３において、その都度リアルタイムに反映される。
【００４３】
このように本発明の実施の形態によれば、管理サーバ２０にて、予め各ＤＡＳから個別に登録を受けた記憶領域を一元管理し、これを、同管理サーバ２０の管理下にて、記憶領域を必要とするＤＡＳに対して適宜貸し出す。この構成実現のために各ＤＡＳのサーバにおいて必要とされるものは単にアクセスを外部に依頼するためのクライアント１５、外部からのアクセス依頼を受け、これにしたがって自機のディスク装置に対するアクセスを行なうエージェント１７、及び管理サーバに対して所定の記憶領域のマウント／アンマウントを依頼するマウント／アンマウント処理１４の夫々のプログラムを別途設けるのみでよい。
【００４４】
又、管理サーバ２０は、借用側サーバと貸し出し側サーバとの間に立ち、貸し出すべき記憶領域の割り当て、割り当てた記憶領域に対するアクセスを可能にするために必要な所定の通信情報（マウント情報）の借用側サーバへの提供を行い、それにより借用側サーバから貸し出し側サーバへのアクセスを可能にするための構成を有するものとすればよい。
【００４５】
したがって簡易な構成にて各ＤＡＳに属する記憶領域を夫々のＤＡＳ間で共有可能なシステムを提供可能である。
【００４６】
又、本発明の実施の形態によれば記憶容量を必要とするＤＡＳのサーバと、これらＤＡＳのサーバに対して割り当てられた記憶領域を有する他のＤＡＳのサーバとの間の通信パスは、アクセス時にのみマウント動作により張られ、アクセス完了時にはディスコネクトされる。したがって各サーバ間を結ぶ通信網（ＬＡＮ）におけるトラヒックを効果的に低減可能である。その結果、信号伝送資源の有効利用が可能となる。
【００４７】
本発明は以下の付記に記載の構成を含む。
【００４８】
（付記１）ネットワークで接続された複数のサーバ間で夫々の記憶装置の記憶領域を共有するための方法であって、
前記複数のサーバの各々の記憶装置の記憶領域を当該ネットワークに接続された管理サーバに登録する登録段階と、
前記登録段階にて登録された各サーバの記憶装置の記憶領域を管理サーバにて一元的に管理する管理段階と、
管理サーバに対し、前記管理段階で管理された記憶装置の記憶領域の割り当てを要求する割当要求段階と、
前記割当要求に対し、管理サーバにて前記一元管理された記憶装置の記憶領域から所定の記憶装置の記憶領域を割り当てる割当段階と、
前記割当段階にて割り当てられた記憶装置の記憶領域に対するマウント要求を管理サーバに対して行なうマウント要求段階と
前記マウント要求に対し、管理サーバにて前記割当段階にて割り当てられた記憶装置の記憶領域をマウントし、その旨を示すマウント情報を返信するマウント段階と、
前記マウント段階にて返信されたマウント情報にしたがって、当該マウントされた記憶領域が属するサーバに対し、当該記憶装置の記憶領域に対するアクセスを要求するアクセス要求段階と、
前記アクセス要求段階にてアクセス要求を受けたサーバでは、自己に属する当該記憶装置の記憶領域にアクセスし、アクセス結果を返信するアクセス段階とよりなる方法。
【００４９】
（付記２）更に管理サーバに対し、前記マウント段階にてマウントされた記憶領域のアンマウントを要求するアンマウント要求段階と、
管理サーバでは、前記アンマウント要求を受けて該当する記憶装置の記憶領域をアンマウントし、その旨を示すアンマウント情報を返信するアンマウント段階とよりなる付記１に記載の方法。
【００５０】
（付記３）管理サーバにおける前記登録された記憶装置の記憶領域の一元管理は、異なる態様の記憶領域利用形態を適用可能な構成とされてなる付記１又は２に記載の方法。
【００５１】
（付記４）前記異なる態様の記憶領域利用形態は、単一利用形態、統合利用形態、多重化利用形態及び分割利用形態のうちの少なくとも一のものとされてなる付記３に記載の方法。
【００５２】
（付記５）管理サーバにおける前記登録された記憶領域の一元管理は、当該管理されている記憶領域を仮想記憶領域として論理的に管理するものとされてなる付記１乃至４のうちの何れかに記載の方法。
【００５３】
（付記６）前記アクセス段階におけるアクセス動作は、初期化動作、情報書き込み動作、情報読み出し動作、情報検索動作及び情報消去動作のうちのいずれかとされてなる付記１乃至５の内の何れかに記載の方法。
【００５４】
（付記７）前記複数のサーバは各々ＤＡＳを構成してなる付記１乃至６の内の何れかに記載の方法。
【００５５】
（付記８）ネットワークで接続された複数のサーバ間で夫々の記憶装置の記憶領域を共有するためのシステムであって、
前記複数のサーバの各々の記憶装置の記憶領域を当該ネットワークに接続された管理サーバに登録する登録手段と、
前記登録手段にて登録された各サーバの記憶装置の記憶領域を管理サーバにて一元的に管理する管理手段と、
管理サーバに対し、前記管理手段で管理された記憶装置の記憶領域の割り当てを要求する割当要求手段と、
前記割当要求に対し、管理サーバにて前記一元管理された記憶装置の記憶領域から所定の記憶装置の記憶領域を割り当てる割当手段と、
前記割当手段にて割り当てられた記憶装置の記憶領域に対するマウント要求を管理サーバに対して行なうマウント要求手段と
前記マウント要求に対し、管理サーバにて前記割当手段にて割り当てられた記憶装置の記憶領域をマウントし、その旨を示すマウント情報を返信するマウント手段と、
前記マウント手段にて返信されたマウント情報にしたがって、当該マウントされた記憶装置の記憶領域が属するサーバに対し、当該記憶装置の記憶領域に対するアクセスを要求するアクセス要求手段と、
前記アクセス要求手段にてアクセス要求を受けたサーバにて、自己に属する当該記憶装置の記憶領域にアクセスし、アクセス結果を返信するアクセス手段とよりなるシステム。
【００５６】
（付記９）ネットワーク接続された複数の情報処理装置の各々の記憶装置の記憶領域を当該ネットワークに接続された管理サーバに登録する登録手段と、
管理サーバに対し、当該前記管理サーバにて管理された記憶領域の割り当てを要求する割当要求手段と、
前記割当要求に対して割り当てられた記憶装置の記憶領域に対するマウント要求を管理サーバに対して行なうマウント要求手段と
前記管理サーバからマウント要求に対し返信されるマウント情報にしたがって、当該マウントされた記憶領域を有する情報処理装置に対し、当該記憶領域に対するアクセスを要求するアクセス要求手段とよりなる情報処理装置。
【００５７】
（付記１０）ネットワーク接続された複数の情報処理装置の各々の記憶装置の記憶領域を登録され一元的に管理する管理手段と、
前記複数の情報処理装置のうちの何れかの装置からの割当要求に応じて前記一元管理された記憶領域のうちから所定の記憶領域を割り当てる割当手段と、
当該情報処理装置からのマウント要求に応じて、前記割当手段にて割り当てた記憶装置の記憶領域をマウントし、その旨を示すマウント情報を返信するマウント手段とよりなる情報処理装置。
【図面の簡単な説明】
【００５８】
【図１Ａ】本発明の実施の形態としての情報処理システムの概略構成を示すブロック図である。
【図１Ｂ】図１Ａに示す管理サーバにて管理している仮想ディスク管理テーブルの内容の一例を示す図である。
【図２Ａ】図１Ａ、１Ｂに示す本発明の実施の形態の構成において、仮想ディスクとして登録された、サーバＡに属する記憶領域Ａ２をサーバＪに貸し出す動作を説明するための図（その１）である。
【図２Ｂ】図１Ａ、１Ｂに示す本発明の実施の形態の構成において、仮想ディスクとして登録された、サーバＡに属する記憶領域Ａ２をサーバＪに貸し出す動作を説明するための図（その２）である。
【図３】図１Ａ，１Ｂ等に示す本発明の実施の形態における図２Ａ，図２Ｂに示す仮想ディスク貸し出し動作の処理手順を説明するためのブロック図である。
【図４】上記仮想ディスク貸し出し動作につき、図３に示す各構成要素毎に個別にその動作を説明するための動作フローチャート（その１）である。
【図５】上記仮想ディスク貸し出し動作につき、図３に示す各構成要素毎に個別にその動作を説明するための動作フローチャート（その２）である。
【図６】上記仮想ディスク貸し出し動作につき、図３に示す各構成要素毎に個別にその動作を説明するための動作フローチャート（その３）である。
【符号の説明】
【００５９】
１０−Ａ，１０−Ｂ，１０−Ｃ，  ．．．    サーバ
１１    ユーザアプリケーション
１４    マウント／アンマウント処理部
１５    クライアント
１６    マウント情報
１７    エージェント
２０    管理サーバ
２１    管理アプリケーション
２３    仮想ディスクテーブル
３０    テープライブラリ
５０    管理端末
【図１Ａ】
2005070965.tif 000003
【図１Ｂ】
2005070965.tif 000004
【図２Ａ】
2005070965.tif 000005
【図２Ｂ】
2005070965.tif 000006
【図３】
2005070965.tif 000007
【図４】
2005070965.tif 000008
【図５】
2005070965.tif 000009
【図６】
2005070965.tif 000010